(57)【特許請求の範囲】
【請求項１】
主たる制御を行うメイン処理部と、画像信号と音声信号を入力する入力手段および操作パネルとを有し、入力されたデータをもとに通信網を介して遠隔地との信号の授受を行う携帯型情報伝送装置において、前記操作パネルは、前記情報伝送装置の主電源投入と同時に、予め記憶されている宛先接続後に動画伝送状態に移行し、且つ動画状態でクリックすることで接続回線断とする電源入／切用の電源スイッチと、電源スイッチと、静止画の取り込みと送信用に使用されるシャッタースイッチと、動画伝送状態での押下げにより通話状態となり、音声情報を取り込んで送信する通話スイッチとの３スイッチとで構成され、
前記電源スイッチ投入時は、予め定められた宛先を選択する宛先選択手段と、この宛先選択完了後に動画像状態として伝送する動画伝送手段と、この動画伝送状態で前記シャッタースイッチ投入時に静止画の画像情報読み込み、圧縮処理を行って選択された宛先に転送し、転送後は動画伝送手段に復帰させる静止画伝送手段と、前記動画伝送状態で通話スイッチ投入時に音声情報の取り込み、圧縮処理を行って選択された宛先に転送し、通話スイッチ解放時に前記動画伝送手段に復帰させる通話処理手段と、前記動画伝送状態での電源スイッチ操作時に接続中の回線を切断状態とするネットワーク切断手段とを備えたことを特徴とした携帯型情報伝送装置。
【請求項２】
前記電源スイッチは２極の開閉機能を有するタクトスイッチとし、このスイッチによる電源制御回路として、電池から与えられる電圧を前記メイン処理部の要求する２次電圧に変換するＤＣ／ＤＣコンバータ回路と、このコンバータ回路によって変換された２次電圧を監視し、予め定められた電位となったときにメイン処理部に初期化用リセット信号として出力する電源監視部と、前記電源スイッチと一方の入力端が接続され、他方の入力端には第１の積分回路を介して接続され、且つ、電源スイッチ操作時に前記ＤＣ／ＤＣコンバータ回路を介してメイン処理部に２次電圧を供給するフリップフロップとを備えたことを特徴とした請求項１記載の携帯型情報伝送装置。
【請求項３】
前記電源スイッチの一端と、前記フリップフロップの一方の入力端間に、前記第１の積分回路の時定数よりも小さな時定数を有する第２の積分回路を接続したことを特徴とした請求項２記載の携帯型情報伝送装置。
【請求項４】
前記メイン処理部は、前記電源スイッチの開閉有無信号を導入し、電源スイッチ開放状態判断時には電源を開路処理に移行させる電源スイッチ状態判断手段と、この判断手段での電源スイッチ投入時には当該信号がｎ秒継続したか否かを判断し、ｎ秒継続時には装置の初期化処理を実行し、ｎ秒以下時には前記電源スイッチ状態判断処理に移行させる初期化処理手段とを備えたことを特徴とした請求項３記載の携帯型情報伝送装置。
【請求項５】
前記メイン処理部は、メイン処理中における電源スイッチ操作による割り込み発生を監視し、割り込み発生時にはメイン処理を終了させる終了処理手段と、割り込み発生時には電源スイッチの投入状態の有無信号を導入し、スイッチ投入無との判断時にはメイン処理に戻る誤操作判断手段と、この判断手段で投入信号有時には当該信号がｎ秒継続か否かを判断し、ｎ秒以下時には誤操作判断処理に戻し、ｎ秒以上時には電源スイッチ開放割り込み発生を待つ割り込み発生待機手段と、この待機手段による割り込み発生を監視し、割り込み発生時には電源の断処理を実行する電源断処理手段を備えたことを特徴とした請求項４記載の携帯型情報伝送装置。
【請求項６】
前記電源スイッチの操作信号が導入される前記フリップフロップの一方の入力端に入力される信号は、前記第２の積分回路で定まる時限ｔ１以内での電源スイッチの操作によって発生する信号２回で１回だけ生成されるよう構成したことを特徴とした請求項３又は５記載の携帯型情報伝送装置。
【請求項７】
前記第１の積分回路の入力端にスイッチの一端を接続し、このスイッチの一端と前記電源スイッチの一端にそれぞれ入力端が各別に接続されたＮＡＮＤ回路を設け、このＮＡＮＤ回路の出力は前記フリップフロップの一方の入力端に接続すると共に、前記スイッチの操作信号を前記メイン処理部に入力するよう構成したことを特徴とした請求項２記載の携帯型情報伝送装置。
【発明の詳細な説明】
【０００１】
【発明の属する技術分野】
本発明は、ディジタル化された画像や音声の情報を遠隔地にある情報装置に伝送するための携帯型情報伝送装置に関するものである。
【０００２】
【従来の技術】
現在、携帯電話（ＰＤＣ：Portable Digital Cellular）や、ＰＨＳ（Personal Handy-Phone System）の普及によって、モバイル通信が華やかである。そのような中において、これらの通信媒体を利用し、画像データや音声データを圧縮して遠隔地にある情報処理装置（パソコンなど）に伝送し、現場の状況を報告するための携帯型情報伝送端末装置が知られている。
【０００３】
この携帯型情報伝送端末装置の主たる伝送情報は画像データと音声データであり、現場の映像を画像処理して伝送する機能および現場と音声による情報交換を行うのが一般的である。この携帯型遠隔画像情報伝送端末装置の使用形態を図１５に示す。
【０００４】
図１５において、１００が入力された画像情報と音声情報を圧縮処理して伝送するための携帯型情報伝送端末装置の本体、２００が伝送された画像情報を受信して処理するための管理局側の情報処理装置（パソコンなど）の本体である。３０１は、画像情報を入力するためのカメラ装置（ビデオ・カメラや、ディジタル・スチル・カメラなど）、３０２は音声情報を入力するためのマイクロフォン、３０３は管理局側から送られてきた音声情報を音声として出力するためのスピーカである。ここでは、３０２のマイクロフォンと３０３のスピーカは、一体になって頭部に装着できるヘッドセットを例に採っている。  また、４００は情報の伝送媒体である通信網（ＰＤＣ、ＰＨＳ、アナログ電話、ＬＡＮなど）、５０１は受信した画像情報を表示するための画像出力装置（ＣＲＴ、ＬＣＤ、ビデオ・モニタなど）、５０２は管理局側の音声を入力するためのマイクロフォン、５０３は端末側から送られてきた音声を再生するためのスピーカである。こちらも、５０２のマイクロフォンと５０３のスピーカは、一体になって頭部に装着できるヘッドセットを例に採っている。
【０００５】
図１５において、遠隔地に赴いた操作員は、図に示すような体勢で、３０１のカメラから画像情報を入力し、これを１００の携帯型遠隔情報伝送端末に於いて、圧縮処理して伝送する。この情報は、４００の伝送媒体（通信網）によって遠隔地に送られるので、管理局側では、これを通信網を介して受信し、２００の情報処理装置にて伸長処理して元の画像情報に再生し、この情報を５０１の表示装置に表示する。
更に、このような装置では、現場と管理局との間で、音声情報の交換ができる。この場合は、１００の携帯型遠隔情報伝送端末と、２００の情報処理装置との間で、双方向の音声圧縮と伸張処理を相互に行うことによってこの機能を実現する。このような携帯性を持たせた情報伝送端末装置については、様々な形態の製品が存在するが、大きく分けると汎用のモバイル・パソコンをそのまま端末に利用する場合と、専用の端末装置とする場合とがある。前者の場合は、もともとＬＣＤパネルと入力用のキーボードなどが装置に付属している。しかし、汎用のモバイル・パソコンは、特定の処理を行うために、様々な操作処理を繰り返し行わなければならず、現場において迅速性が要求される専用の処理には不向きである。（操作が複雑で現場向きでない。）また、モバイル・パソコンの場合耐環境性は十分でないため、荒天時などでの屋外使用は困難である。
【０００６】
一方、専用端末装置の場合については、通常操作に必要な最低限の操作ボタンと、ＬＥＤ表示機能しか持たないのが理想である。専用端末装置における課題は、小型化、低価格化と言った点にあるが、これに加えて現場での使用に合わせて、操作の簡易性、堅牢性と言った点が求められる。なお、小型のＬＣＤ表示画面を持つ場合もあるが、価格面でのコストアップは必至である。
【０００７】
このような、携帯型情報伝送端末装置（１００）の１例としての形態を示したものが図１６、および図１７である。
各図において、１００ａは、本装置の操作を行うスイッチや表示を集めた操作パネル部、１００ｂは、本装置と外部機器との電気的接続（コネクタ）部分を集めた外部インターフェース・パネル部、１００ｃは、外部インターフェース不使用時にインターフェース部を保護するための保護用蓋、１００ｄは、本装置をベルトに実装するためのベルト・フック、１００ｅは、本装置を肩掛けで使用する場合のストラップを保持するためのストラップ・フックである。
先述の通りこの装置は、屋外の遠隔地から無線などを介して情報を伝送するための端末装置であり、特に施設、設備の保守点検、工事や災害現場などの状況監視などに用いる必要性から、標準的に屋外で使用されるものである。
【０００８】
【発明が解決しようとする課題】
このように機動性の高い携帯型の情報伝送端末を使用する場合、現場から管理局を呼び出して通信回線を接続し、管理局側のサーバ（パソコン）との間で通信プロトコルが成立すると、静止画情報や、動画情報、音声情報などの授受を行って各種の動作が行われる。この装置の一般的な操作処理フローの例を示したものが図１８である。また、この処理フローを実現するための、一般的な操作パネルの例を図１９に、またその実現回路例を図２０に示す。
【０００９】
まず、図１９において、１００ａが操作パネルの全体、１０１は電源ボタン（スイッチ）、１０２は動画ボタン（スイッチ）、１０３はシャッター・ボタン（スイッチ）、１０４は通話ボタン（スイッチ）である。電源ボタンは電源の入／切、動画ボタンは動画伝送の開始／終了の操作、シャッター・ボタンは静止画の取り込みと送信、通話ボタンは通話期間中に押下するのが通常の使用法である。１０５ａ〜１０５ｄは動作表示（電源、動画、静止画、通話）用のＬＥＤ、１０６、１０７は、エラー表示や充電中表示など状態表示用のＬＥＤである。
また、この操作パネル部を実現するための回路は、図２０に示す通りであるが、１１０は情報伝送端末装置の全体を制御するためのＣＰＵ、１１１はそのＣＰＵのローカルバス、１１０ａは読み出しコマンド信号（ＲＤ信号）、１１０ｂは書き込みコマンド信号（ＷＲ信号）である。また、１１２はスイッチ状態を読み込むためのＤＩ回路、１１３は表示ＬＥＤを点灯／消灯させるためのＤＯ回路である。更に、１０１は、図１９の操作パネル上にある電源ボタン、１０２は同じく動画ボタン、１０３はシャッター・ボタン、１０４は同じく通話ボタン、１０５ａ〜１０５ｄは動作表示ＬＥＤである。
ここで図１８を用いて処理の流れを説明する。図において、楕円は処理フェーズを示し、太い矢印は状態の遷移を示す。
【００１０】
ｐ１，電源オフの状態で、ここからスタートする。この例では、この状態でも電源ボタンをスキャンする機能だけは動作している。
【００１１】
ｐ２，フェーズｐ１の状態で、電源ボタンがクリックされると、主電源投入動作を行い、予め記憶させてある複数の宛先の電話番号などの内から接続宛先を選択する宛先指定処理を行う。
【００１２】
ｐ３，フェーズｐ２で指定された宛先との接続処理（ネットワークの接続処理）を行う。
【００１３】
ｐ４，宛先との接続処理が完了後、装置としては管理局側との通信が可能な状態で伝送待機状態となる。この状態では、電源ボタン、シャッター・ボタン、通話ボタン、動画ボタンのスキャンを行っているが、基本的には処理の指示を待っている待機状態である。
【００１４】
ｐ５，フェーズｐ４の待機状態で、動画ボタンがクリックされると、動画伝送状態となる。動画像データを連続的に宛先の管理局側に転送する。再度動画ボタンがクリックされるとこの状態からｐ４に復帰する。この状態では、電源ボタン、シャッター・ボタン、通話ボタン、動画ボタンがスキャンされている。
【００１５】
ｐ６，フェーズｐ４の待機状態または、ｐ５の動画伝送状態で、シャッター・ボタンをクリックすると、装置は静止画の画像情報を読み込み、圧縮処理を行ってその静止画データを宛先の管理局側に転送する。静止画データ伝送を完了すると自動的にｐ４またはｐ５に復帰する。
【００１６】
ｐ７，フェーズｐ４の待機状態または、ｐ５の動画伝送状態で、通話ボタンを押下すると、装置は通話状態になる。この状態で装置は音声情報を取り込み、圧縮処理を行ってその音声データを宛先の管理局側に転送する。通話ボタンを開放すると、音声送信状態を終了し、ｐ４またはｐ５に復帰する。
【００１７】
ｐ８，フェーズｐ４の待機状態または、ｐ５の動画伝送状態で、電源ボタンをクリックすると、装置は接続中のネットワーク（回線）を切断し、電源をオフして初期状態に戻る。１０５ａのＬＥＤはネットワーク接続および切断中はフリッカ、電源がオン状態で点灯、１０５ｂのＬＥＤは動画伝送中、１０５ｃのＬＥＤは静止画伝送中、１０５ｄのＬＥＤは音声送信中（通話中）に点灯する。
【００１８】
さて、先に述べた通り、本装置のような専用端末装置については、通常操作に必要な最低限の操作ボタンと、ＬＥＤ表示機能しか持たないのが理想であり、小型化、低価格化、操作の簡易性、堅牢性と言った点が求められている。
ここで、一般的な情報伝送端末装置では、操作ボタン４つと動作表示ＬＥＤが４個で処理操作機能を実現しているが、更に操作ボタンや表示ＬＥＤを削減することが望ましい。
【００１９】
【課題を解決するための手段】
本発明の第１は、主たる制御を行うメイン処理部と、画像信号と音声信号を入力する入力手段および操作パネルとを有し、入力されたデータをもとに通信網を介して遠隔地との信号の授受を行う携帯型情報伝送装置において、前記操作パネルは、前記情報伝送装置の主電源投入と同時に、予め記憶されている宛先接続後に動画伝送状態に移行し、且つ動画状態でクリックすることで接続回線断とする電源入／切用の電源スイッチと、電源スイッチと、静止画の取り込みと送信用に使用されるシャッタースイッチと、動画伝送状態での押下げにより通話状態となり、音声情報を取り込んで送信する通話スイッチとの３スイッチとで構成され、
前記電源スイッチ投入時は、予め定められた宛先を選択する宛先選択手段と、この宛先選択完了後に動画像状態として伝送する動画伝送手段と、この動画伝送状態で前記シャッタースイッチ投入時に静止画の画像情報読み込み、圧縮処理を行って選択された宛先に転送し、転送後は動画伝送手段に復帰させる静止画伝送手段と、前記動画伝送状態で通話スイッチ投入時に音声情報の取り込み、圧縮処理を行って選択された宛先に転送し、通話スイッチ解放時に前記動画伝送手段に復帰させる通話処理手段と、前記動画伝送状態での電源スイッチ操作時に接続中の回線を切断状態とするネットワーク切断手段とを備えたことを特徴としたものである。
【００２１】
本発明の第２は、前記電源スイッチは２極の開閉機能を有するタクトスイッチとし、このスイッチによる電源制御回路として、電池から与えられる電圧を前記メイン処理部の要求する２次電圧に変換するＤＣ／ＤＣコンバータ回路と、このコンバータ回路によって変換された２次電圧を監視し、予め定められた電位となったときにメイン処理部に初期化用リセット信号として出力する電源監視部と、前記電源スイッチと一方の入力端が接続され、他方の入力端には第１の積分回路を介して接続され、且つ、電源スイッチ操作時に前記ＤＣ／ＤＣコンバータ回路を介してメイン処理部に２次電圧を供給するフリップフロップを備えたものである。
【００２２】
本発明の第３は、前記電源スイッチの一端と、前記フリップフロップの一方の入力端間に、前記第１の積分回路の時定数よりも小さな時定数を有する第２の積分回路を接続したものである。
【００２３】
本発明の第４は、前記メイン処理部は、前記電源スイッチの開閉有無信号を導入し、電源スイッチ開放状態判断時には電源を開路処理に移行させる電源スイッチ状態判断手段と、この判断手段での電源スイッチ投入時には当該信号がｎ秒継続したか否かを判断し、ｎ秒継続時には装置の初期化処理を実行し、ｎ秒以下時には前記電源スイッチ状態判断処理に移行させる初期化処理手段を設けたものである。
【００２４】
本発明の第５は、前記メイン処理部は、メイン処理中における電源スイッチ操作による割り込み発生を監視し、割り込み発生時にはメイン処理を終了させる終了処理手段と、割り込み発生時には電源スイッチの投入状態の有無信号を導入し、スイッチ投入無との判断時にはメイン処理に戻る誤操作判断手段と、この判断手段で投入信号有時には当該信号がｎ秒継続か否かを判断し、ｎ秒以下時には誤操作判断処理に戻し、ｎ秒以上時には電源スイッチ開放割り込み発生を待つ割り込み発生待機手段と、この待機手段による割り込み発生を監視し、割り込み発生時には電源の断処理を実行する電源断処理手段を備えたものである。
【００２５】
本発明の第６は、前記電源スイッチの操作信号が導入される前記フリップフロップの一方の入力端に入力される信号は、前記第２の積分回路で定まる時限ｔ１以内での電源スイッチの操作によって発生する信号２回で１回だけ生成されるよう構成したものである。
【００２６】
本発明の第７は、前記第１の積分回路の入力端にスイッチの一端を接続し、このスイッチの一端と前記電源スイッチの一端にそれぞれ入力端が各別に接続されたＮＡＮＤ回路を設け、このＮＡＮＤ回路の出力は前記フリップフロップの一方の入力端に接続すると共に、前記スイッチの操作信号を前記メイン処理部に入力するよう構成したものである。
【００２７】
【発明の実施の形態】
本発明は、携帯型情報伝送端末装置に求められていた、操作ボタンおよび動作表示ＬＥＤの数を削減するための手段を提供するものである。
【００２８】
【実施の形態１】
図１は、本発明を用いた携帯型情報伝送端末装置の内部処理フロー例、図２は、この処理フローに合致した端末装置の操作パネルの構成図、図３はこの操作パネル部の回路例である。
図２の操作パネルは、図１９の従来の端末装置の操作パネルから１０２の動画ボタンと、１０５ｂの動画ＬＥＤを取り去ったものである。パネルは小型になっている。また図３の回路例は、図２０の従来の操作パネルの回路から、１０２の動画ボタンと、１０５ｂの動画ＬＥＤを取り去ったものである。
ここで、図１を用いて本発明による携帯型情報伝送端末装置の内部処理の流れを説明する。図において、楕円は処理フェーズを示し、太い矢印は状態の遷移を示す。
【００２９】
ｐ１１，電源オフの状態で、ここからスタートする。この例では、この状態でも電源ボタンをスキャンする機能だけは動作している。
【００３０】
ｐ１２，フェーズｐ１１の状態で、電源ボタンがクリックされると、主電源投入動作を行い、予め記憶させてある複数の宛先の電話番号などの内から接続宛先を選択するための宛先指定処理を行う。
【００３１】
ｐ１３，フェーズｐ１２で指定された宛先との接続処理（ネットワークの接続処理）を行う。
【００３２】
ｐ１４，宛先との接続処理が完了後、装置は自動的に動画伝送状態となる。動画像データを連続的に宛先の管理局側に転送する。この状態では、電源ボタン、シャッター・ボタン、通話ボタンがスキャンされている。
【００３３】
ｐ１５，フェーズｐ１４の動画伝送状態で、シャッター・ボタンをクリックすると、装置は静止画の画像情報を読み込み、圧縮処理を行ってその静止画データを宛先の管理局側に転送する。静止画データ転送後、自動的にｐ１４に復帰する。  ｐ１６，フェーズｐ１４の動画伝送状態で、通話ボタンを押下すると、装置は通話状態になる。この状態で装置は音声情報を取り込み、圧縮処理を行ってその音声データを宛先の管理局側に転送する。通話ボタンを開放すると、音声送信状態を終了し、ｐ１４に復帰する。
【００３４】
ｐ１７，フェーズｐ１４の動画伝送状態で、電源ボタンをクリックすると装置は、接続中のネットワーク（回線）を切断し電源をオフして初期状態に戻る。
【００３５】
１０５ａのＬＥＤはネットワーク接続および切断中はフリッカ、動画転送状態で点灯、１０５ｃのＬＥＤは静止画伝送中、１０５ｄのＬＥＤは音声送信中に点灯する。
【００３６】
この処理フローから分かるように、本発明では、図１８に示す伝送待機状態ｐ４を完全に省き、回線接続後に、直接、動画伝送モードに移行するようにしたものである。これによってこの端末と管理局との間では、回線接続直後から、動画送信の操作指示をしなくても自動的に動画が送られることになる。
一見、操作指示をしない動画が自動的に流れることは回線の無駄使いのように思われがちであるが、回線自体は接続後、絶えず使用状態になっていることから、待機状態のままデータを流さない方が無駄であると言えるし、管理局側で、動画を見る必要がない（あるいは見たくない）場合には動画面の表示を行わないようにすればよいだけである。従って、システム的には、本処理フローにすることによるデメリットはなく、この処理フローを適用することによって、先述のとおり、操作ボタンと動作表示ＬＥＤを１つづつ削減することが可能である。
【００３７】
本発明による装置の内部処理フローを適用すれば、端末から管理局への静止画、動画、音声の各情報の伝達のために、電源ボタンの他に、シャッター・ボタンと通話ボタンの２つのボタンだけ（計３つの操作ボタン）で機能を実現できる。また、動作表示のＬＥＤについてもボタンに対応した、３つだけで状態を表現できる。
操作ボタンとＬＥＤの数が削減できることから、形状を小型にできる上、部品コストを下げ得る。また、操作部分を減らすことによって操作の簡便性を向上させ、更に部品点数の削減によって装置の故障率を下げることにも寄与する。これらにより、携帯型情報伝送端末装置に求められている、小型、低価格、簡易操作、堅牢という課題を理想に近づけることができる。
【００３８】
【実施の形態２】
主電源のオン／オフについて、同一のスイッチの押下（クリック）操作で処理しようとする場合、機械的なスイッチを用いれば、毎回の押下操作でオン／オフを繰り返すモーメンタリなスイッチを利用できるが、このスイッチは、ア）高価であること、イ）その他の操作ボタンとクリック感や操作距離（ストローク）が異なること（その他の操作ボタンはクリック感を持たせたタクトスイッチを使うのが一般的である。これは安価であり薄形に対応できるためである。）、ウ）ストロークが大きいものが多く防水シートなどを被せると操作ができず、によって防水性を持たせることが困難となる、などの理由によって、この電源ボタンに使用することは得策でない。
このため、この電源ボタンについてもその他のボタンと同一のタクトスイッチを使用することを前提とすると、このタクトスイッチは２極の単純な開／閉状態を持っているだけなので、これを用いて前掲の装置機能を実現するためには、図４に示すような主電源オン／オフ制御回路例を採ることが一般的である。
【００３９】
図４において、１０００は、本装置のメイン回路であって主たる制御をするプロセッサなどを具備した回路である。１００１はＤＣ／ＤＣコンバータで、電池から与えられる１次ＤＣ電源「DCIN」をメイン回路の要求する２次直流電源の電圧「Vcc」に変換する。このＤＣ／ＤＣコンバータ回路の入り／切りを「SHUT」信号を持って行うことができる。１００２は、電源監視回路であって主電源Vccを監視し、予め定められた電位以下になるとメイン回路に対して「DCLOW」信号を与える。メイン回路はこれを初期化のためのリセット信号として使用する。
更に、１１００は装置全体の電源となる電池部分である。また、１１０１は、電源ボタン（スイッチ）であって、タクトスイッチ（２極）である。１１０２はプルアップ抵抗である。
１２００は、ビット数の少ない（例えば４ビットなど）の小型、低消費電力のシングルチップ・マイクロプロセッサ（以下電源制御マイコンと称す）であって、メイン回路とは異なる電源（Vdd）で動作する。１２０１は、電池から与えられる１次ＤＣ電源「DCIN」を１２００のマイクロプロセッサ回路の要求する２次直流電源の電圧「Vdd」に変換するためのＤＣ／ＤＣコンバータ回路である。この回路には「SHUT」の機能はなく、電池から電源が与えられる限り、Vddに変換し続ける。
【００４０】
この回路では、上述の通り１２０１のＤＣ／ＤＣコンバータ回路は絶えず活性であるため、１２００の小型の電源制御マイコンも常に動作している（電池電源の投入時には、パワーオン・リセットが生成されて初期化されているとする）。この小型のマイコンは、２本の信号入力IN1とIN2と、２本の信号出力OUT1とOUT2を有する。ここで、IN1入力信号は、電源ボタンのレベルの読み込みに、IN2入力信号は、メイン回路からの電源オフ要求の通知（POFF信号）に用いる。また、OUT1出力信号は、１００１のＤＣ／ＤＣコンバータ回路を動作停止させるための「SHUT」信号（レベルHで活性とする）の出力、OUT2出力信号は、電源ボタンのクリックよる操作があったことをメイン回路に伝えるための「SWON」信号として用いる。電源制御マイコンは、常に活性状態であって、次のような動作をする。  ア）IN1入力信号にて、電源ボタン（スイッチ）の状態を監視し、このボタンが１回クリックされると、OUT1信号（SHUT信号）をインアクティブにして１００１のＤＣ／ＤＣコンバータ回路をオンさせる。これによって、メイン回路に電源が供給される。１００２の電源監視回路によってリセットが生成され、メイン回路は初期状態から立ち上がる。
【００４１】
イ）メイン回路が動作中は、１１０１の電源ボタンが押されると、IN1信号によってこれを検知し、OUT2信号（SWON信号）を用いて、これをメイン回路に対してメイン回路内のプロセッサに割り込みをかけるなどの通知をする。
【００４２】
ウ）メイン回路が、上述の処理フローのｐ１７のフェーズにある時に、電源ボタンの押下通知が与えられた場合には、メイン回路は電源のオフの処理に入る。メイン回路は、POFF信号を出力し、これが電源制御マイコンのIN2信号に与えられ割り込み処理などで通知される。この通知により、電源制御マイコンは、OUT1信号（SHUT信号）をアクティブ（Hレベル）にして１００１のＤＣ／ＤＣコンバータをオフさせ、メイン回路の電源を切る。このように、携帯型情報伝送端末装置においても、１ボタンで電源の入り／切り操作を行うためには、常に電源の入っている小型の電源制御マイコンなどが必要であった。
【００４３】
つまり、この小型の電源制御マイコンそのものが必要である上、常時電源を与えるための専用のＤＣ／ＤＣコンバータ１２０１、またはこれに類する電源回路が必要である。更にマイコンを使用する上での発振回路や、メモリ回路などが必要な場合もあった。
【００４４】
これは、装置として必要な機能とは言え、かなりのコストを必要とし、また、物理的なスペースを確保する必要もある。この実施の形態では、電源監視マイコンに相当する部分を極めて簡単な論理回路とトランジスタなどで実現し、更なるコストダウンおよび省スペース化を図るものである。
【００４５】
さて、図５が、第２の実施形態による低消費電力型の主電源オン／オフ制御回路の例である。
同図に於いて、図４と同一部分または相当部分には同一符号を付してその説明を省略する。１３００は、電源電圧が高い、ＣＭＯＳの標準論理ＩＣであって、ここではＮＡＮＤ回路２個だけを利用している。１３０１〜１３０４は抵抗素子（R１〜R4）、１４０１はコンデンサ（C1）、１５０１，１５０２はトランジスタまたはＦＥＴ（TR1,TR2）である。
【００４６】
また、図中、A〜D，S，DCIN，Vcc，T01，T02は、説明をし易くするために回路中の各信号に付けた信号名称である。
図６がこの回路例の動作を説明するためのタイムチャート図である。これを用いて、図５の回路例の動作を説明する。図６中の時点Ｔ１〜Ｔ９にしたがって述べる。始めは、１１００の電池が実装されていないものとする。
【００４７】
Ｔ１，時点Ｔ１で、まず装置に１１００の電池を実装する。DCIN信号が電池の電圧に立ち上がり、１３００のＮＡＮＤのＩＣにも電源が供給される。電池の電圧は、１００１のＤＣ／ＤＣコンバータによってメイン回路の電源が生成できる1次電圧であって、１３００のＣＭＯＳ論理回路の動作できる電圧であればよい。この時、R1を介して接続されているA信号は、ほぼDCIN信号と同時にHレベルに立ち上がるが、R2とC1によるCR積分回路が入ったB信号は、R2・C1による時定数による遅れ時間を持ってHレベルに立ち上がる。
【００４８】
Ｔ２，A信号とB信号のHレベルへの立ち上がりの時間差により、１３００のNANDゲートによるフリップフロップ回路は、必ず固定されたレベルに落ち着く。つまりA=H，B=Lの条件から、D=H、C=Lとなり、その後、B信号がHレベルになっても、（A,B,C,D）=（H,H,L,H）状態で安定である。この状態で、D信号即ち１００１のＤＣ／ＤＣコンバータ回路に与えられるSHUT信号はHレベルに固定されているため、１００１のＤＣ／ＤＣコンバータはオンすることはない。R2の抵抗とC1による積分回路は、B信号の立ち上がりをA信号の立ち上がりより遅らせることによって、１３００のフリップフロップ回路のD信号出力を必ずHレベルに安定させるためにある。これにより、電池の実装時に誤ってメイン回路がオン状態になることはない。
【００４９】
Ｔ３，D信号がHレベルに安定し、１００１回路のSHUT信号がアクティブで、ＤＣ／ＤＣコンバータがオフの状態において、１１０１の電源ボタン（スイッチ）が押下されると、S信号（A信号）がグランドに接続され、Lレベルに移行する。A信号のレベルがLとなることによって、１３００のフリップフロップ回路の状態は、（A,B,C,D）=（L,H,H,L）に変化して安定する。ここで、D信号即ち１００１のＤＣ／ＤＣコンバータ回路に与えられるSHUT信号はLレベルに変化し、１００１のＤＣ／ＤＣコンバータがオンし、メイン回路に電源Vccが供給される。
【００５０】
Ｔ４，電源ボタン１１０１が開放されて、S信号（A信号）がHレベルに戻っても、１３００のフリップフロップ回路の状態は、（A,B,C,D）=（H,H,H,L）で安定であり、１００１回路はオン状態を継続する。
【００５１】
Ｔ５，Ｔ４以降、連続して電源は供給されているが、再度電源ボタン１１０１が押されたとする。この時、１３００のフリップフロップ回路の状態は、（A,B,C,D）=（L,H,H,L）となるが、D=Lで安定であり１００１のＤＣ／ＤＣコンバータ回路は変化しない。S信号のLレベルへの変化によって、１５０２のトランジスタTR2がオンして、T02信号のレベルもLレベルとなる。
【００５２】
Ｔ６，この時、装置の処理は、図１の処理フローのフェーズｐ１４(動画伝送状態)で電源ボタンの状態をスキャニングしていたとする。この装置ではメイン回路内で、T02信号の立ち下がりによって割り込みを発生させるものとすると、この時点でメイン回路内のプロセッサに割り込みが発生する。
【００５３】
Ｔ７，Ｔ６で発生した割り込みにより、装置のプロセッサは図１の処理フローのフェーズｐ１７（切断処理）を実行し、電源オフの指令信号POFFをアクティブ（Hレベル）に駆動する。これによって、１５０１のトランジスタTR1がオン状態となって、T01信号がLレベルに変化する。
【００５４】
Ｔ８，Ｔ７によるT01信号の変化により、１３０３のR3と１４０１のC1の時定数を持って、B信号がLレベルに変化し、フリップフロップが反転してD信号はHレベルとなる。これにより１３００のフリップフロップ回路の状態は、（A,B,C,D）=（H,L,L,H）となる。（A信号は、電源ボタン開放時にHレベルに戻っている。）  Ｔ９、D信号（SHUT信号）のHレベルへの変化により、１００１のＤＣ／ＤＣコンバータがオフし、メイン回路の電源Vcc供給が断たれる。Vcc電源がオフすることにより、POFF信号はネゲートされ、T01は、Hレベルに移行、B信号もHレベルに変化する。状態は、（A,B,C,D）=（H,H,L,H）で安定し、初期状態に戻る。
このような手順により、図５による回路構成例によって、メイン回路の電源の入り／切りを実現できる。
【００５５】
【実施の形態３】
実施の形態２の場合、電源ボタンの押下による１００１のＤＣ／ＤＣコンバータ回路のオン状態への移行は瞬時に行われる。つまり電源ボタンの押下→開放の操作は極めて短くてもメイン回路の電源はオンされる。
【００５６】
通常の操作シーケンスに於いて、主電源の入り操作に対して、電源ボタンの１クリック動作を割り当てることには全く問題ないが、ここでこの携帯型情報伝送端末が、作業現場あるいは災害の現場などで用いられることを考慮すると、この短時間での電源ボタンのクリックで主電源が投入されてしまうことは、ある意味での危険を伴う。例えば、装置の輸送時、かばんなどに本装置を収納する際とか、手で装置を掴んだ際に、意図せずにこの電源ボタンに触れてしまうこともあり得る。この場合、操作者には電源を投入する意図がないため、気付かない内に装置が電源オンの状態に移行し、装置が不要な動作をし続けてしまい、電源である電池を消耗して空にしてしまう危険性がある。
【００５７】
このような点を鑑み、実施の形態２に僅かな部品を加えるだけで、この、誤操作によるトラブルを避けることができる。
【００５８】
図７に、この実施の形態３を実現する回路例を示す。
同図に於いて、図５の回路例に加えられたものは、破線の楕円部内の１３０５（抵抗R5）と１４０２（コンデンサC2）のみであり、このRとCで積分回路を構成する。その他の構成要素は図５と同じである。
【００５９】
ここで、新たに付加されるR5とC2による積分回路は、R1を加えた時定数（R1+R5)・C2を、R2とC1による時定数R2・C1よりも小さくなるように選択することが重要である。
図８に、この実施の形態３の回路動作のタイムチャートを示す。以下このタイムチャートを用いて回路例の動作を説明する。
【００６０】
Ｔ１，まず時点Ｔ１で装置に１１００の電池を実装する。DCIN信号が電池の電圧に立ち上がり、１３００のＮＡＮＤのＩＣにも電源が供給される。電池の電圧は、１００１のＤＣ／ＤＣコンバータによってメイン回路の電源が生成できる1次電圧であって、１３００のＣＭＯＳ論理回路の動作できる電圧であればよい。この時、R1とR5およびC2による積分回路を介して接続されているA信号は、（R1+R5)・C2による時定数による遅れ時間を持ってHレベルに立ち上がり、一方、R2とC1によるCR積分回路が入ったB信号は、R2・C1による時定数による遅れ時間を持ってHレベルに立ち上がる。
ここで新たに付加されるR5とC2による積分回路は、R1を加えた時定数（R1+R5)・C2を、R2とC1による時定数R2・C1よりも小さくなるように選択されていることが重要であり、必ずA信号よりB信号の方が遅れて立ち上がるようにしなければならない。
【００６１】
Ｔ２，A信号とB信号のHレベルへの立ち上がりの時間差により、１３００のNANDゲートによるフリップフロップ回路は、必ず固定されたレベルに落ち着く。つまりA=H，B=Lの条件から、D=H、C=Lとなり、その後、B信号がHレベルになっても、（A,B,C,D）=（H,H,L,H）状態で安定である。この状態で、D信号即ち１００１のＤＣ／ＤＣコンバータ回路に与えられるSHUT信号はHレベルに固定されているため、１００１のＤＣ／ＤＣコンバータはオンすることはない。R2の抵抗とC1による積分回路は、B信号の立ち上がりをA信号の立ち上がりより遅らせることによって、１３００のフリップフロップ回路のD信号出力を必ずHレベルに安定させるためにある。これにより、電池の実装時に誤ってメイン回路がオン状態になることはない。
【００６２】
Ｔ３，D信号がHレベルに安定し、１００１回路のSHUT信号がアクティブで、ＤＣ／ＤＣコンバータがオフの状態に於いて、１１０１の電源ボタン（スイッチ）が押下され、一定時間以上保持されると、S信号がグランドに接続され、Lレベルに移行する。これによりC2に貯えられた電荷が放電し、A信号のレベルがR5・C2の時定数をもってなだらかにLレベルとなる。この変化で、１３００のフリップフロップ回路の状態は、（A,B,C,D）=（L,H,H,L）に変化して安定する。ここで、D信号即ち１００１のＤＣ／ＤＣコンバータ回路に与えられるSHUT信号はLレベルに変化し、１００１のＤＣ／ＤＣコンバータがオンし、メイン回路に電源Vccが供給される。
【００６３】
Ｔ４〜Ｔ９，A信号の立ち上がりと立ち下がりの変化が、積分回路の追加によりなだらかになっただけで、他の基本的な動作のシーケンスは図６と全く同じである。
【００６４】
Ｔ１０，Ｔ９以降の装置状態は、Ｔ１以降の電源スタンバイ状態（メイン電源はオフ状態）になっている。この時、電源ボタンが短時間にクリック（押下→開放）が行われたとすると、S信号はグランドに接続され、瞬時にLレベルに移行しC2に貯えられた電荷が放電し始めるが、A信号は、R5・C2の時定数を持ってなだらかに変化するため、これを入力する１３００のＣＭＯＳ論理素子によるＮＡＮＤフリップフロップ回路がこれをＬレベルとして受け付ける電位まで落ちずにHレベルに復帰する。この電位がLレベルにならない限り、１３００のフリップフロップ回路は反転しないから、D信号はHレベルのままで、電源Vccがオンすることはない。つまりこのR5とC2の積分回路によるフィルタ機能により、短時間のボタン操作には応答しないという特性を持たせることができる。
【００６５】
【実施の形態４】
実施の形態３を用いれば電源ボタンの誤操作（持ち運び時などに意図しないで押されてしまうこと）によって、電源が誤投入されることを防ぐことまではできる。しかし、この方式のようにハードウェア回路で時定数を決めて誤投入を防止できる時間には物理的に限界がある。すなわち、ＣＲの時定数を大きくすればよいが、コンデンサ容量が大きくなり、部品サイズが大きくなったり、電力の消費が増えるなどの傾向が出てくる。また、ＣＲによる時定数を大きくすると、ＩＣの入力波形が鈍りすぎてノイズに弱くなるなどの弊害も出てくる。また、持ち運び時などの接触による誤作動を防ぐためには、このハードウェアによるノイズ除去の時定数だけでは満足できない場合が出てくる。
例えば、ハードウェア時定数によるノイズ除去の範囲は０．５秒程度までが妥当と考えられ、この乗数を持つ回路とすると、０．５秒以下のボタン操作については、誤動作を起こさないようにすることができる。これにより瞬時の機械的接触による誤作動は防ぐことが可能となる。しかし、本機をかばんのようなものに入れて持ち運ぶような場合、この時間を超えるような操作が与えられると電源は誤作動してしまう。
【００６６】
そこで、実施の形態４では、主回路に於けるプロセッサの制御条件を加えてこの問題を完全になくすための手法を提供するものである。
図９は、本実施の形態を示すもので、図５および図７における１０００部の主回路について、その内容を詳しく示した実施回路の構成例である。
図９において、１０００は、主回路の全体、１０１０は、主回路の制御を司るメイン・プロセッサ、１０１１はメイン・プロセッサの動作時に使用されるメモリ回路、１０１２は主回路が制御する対象となるＩ／Ｏや周辺のコントローラである。
【００６７】
また、１０１０ａはメイン・プロセッサのローカル・バスである。更に、このバスに従属する形の、１０２０はステータスＤＩ回路で、SWON_L信号（図５または図７中の１１０１のＳＷが閉じられた時にアサートされる信号）の状態を読み込むことができる。１０３０はエッジ検出割り込み発生回路で、SWON_L信号のアサート時とネゲート時の信号変化（エッジ）を検出して、メイン・プロセッサに対して割り込みを発生させる機能を持つ。電源ボタンの押下時と、開放時のどちらでも割り込みを掛けられるようにしておくことが重要である。１０３０ａはメイン・プロセッサに対する割り込み信号(INTR)である。
１０４０はメイン・プロセッサのバスに従属したステータスＤＯ回路であって、POFF_H信号（図５または図７中の１５０１のTR1をオンすることにより、１３００のフリップフロップ回路を反転させ、１００１のDC/DCコンバータに対してSHUT_H信号を生成するための信号）を駆動するものである。
このような主回路内の構成を用い、電源のオン／オフ制御にメイン・プロセッサによる処理を関与させることができる。
【００６８】
図１０は、電源オン／オフ制御手法を実現するためのメイン・プロセッサの処理例（電源オン時）をしめしたものである。
【００６９】
ステップＳ１で電源ボタンを１回押下すると、図５の回路例の場合は直ちに、図７の回路例の場合はＣＲによる時定数時間を待ってから、装置の電源が物理的に投入される。この電源投入の際には１００２の電源監視回路によってRESET_L信号が生成されるので、メイン・プロセッサは初期状態から動作開始する。
【００７０】
ステップＳ２では、メイン・プロセッサは、１０２０のステータスDI回路を用いて、SWON_L信号の状態を読み込む。
【００７１】
ステップＳ３では、SWON_L信号の状態が「L」レベルでアサート（電源ボタンが押下されている）状態であるかどうかを判断する。
【００７２】
ステップＳ４では、SWON_L信号が「H」レベルでアサートされていない（電源ボタンが開放されている）状態である場合には、一旦押されたボタンが、一定時間以内に開放された、すなわち誤操作であったと判断して、電源オフ処理に移行する（電源オフ処理のエントリは、図１１のステップＳ１８に記載）。
【００７３】
ステップＳ５では、SWON_Lのレベルが「L」でアサート状態の場合には、次に進み、ｎ秒経過したかどうかの判断を行う。まだｎ秒以上経過していない場合には、Ｓ２に戻り、SWON_L信号の読み込みから処理を繰り返す。
【００７４】
ステップＳ６では、Ｓ５でｎ秒以上経過したと判断された場合には、装置自体の初期化処理を行い、装置のメイン処理に移行する。
この処理により、電源のオン時については、確実にｎ秒間以上電源ボタンが押下されていた時のみ、装置の初期化ルーチンに移行できる。ｎ秒以内にボタンが開放された場合には、そのボタンの押下が間違いでたった、すなわち誤操作であったと判断して、電源オフ処理に移行する。
メイン・プロセッサによるこの処理を加えることで、電源の誤操作による投入を防ぐことができる。
【００７５】
次に電源オフの場合について説明する。
図１１は、電源オフ時のメイン・プロセッサの処理例である。
【００７６】
ステップＳ１１で、装置が動画伝送などのメイン処理中に、電源ボタンが押下され、１０３０のエッジ検出割り込み回路によって、電源ボタン押下の割り込みが発生すると、メイン・プロセッサは装置の終了処理に移行する。
【００７７】
ステップＳ１２では、メイン・プロセッサは１０２０のステータスDI回路を用いて、SWON_L信号の状態を読み込む。
【００７８】
ステップＳ１３では、SWON_L信号の状態が「L」レベルでアサート状態であるかどうかを判断する。
【００７９】
ステップＳ１４では、SWON_L信号が「H」レベルでアサートされていない状態である場合には、一旦押されたボタンが、一定時間以内に開放された、すなわち誤操作であったと判断して、電源ボタン押下割り込み処理からEXITして元のメイン処理に戻る。
【００８０】
ステップＳ１５では、Ｓ１３でSWON_Lのレベルが「L」でアサート状態の場合には、次に進み、ｎ秒経過したかどうかの判断を行う。まだｎ秒以上経過していない場合には、Ｓ１２に戻り、SWON_L信号の読み込みから処理を繰り返す。
【００８１】
ステップＳ１６，Ｓ１７では、ｎ秒以上経過したと判断された場合には、この状態に留まり、電源ボタン開放の割り込みが発生するのを待つ。
【００８２】
ステップＳ１８では、電源オフ処理として、図１０のＳ４からエントリする。
【００８３】
ステップＳ１９では、電源ボタン開放の割り込みが発生しら、装置のシャットダウン処理として、保護処理などを行う。
【００８４】
ステップＳ２０では、１０４０のステータスDOを用いて、POFF_H信号をアサートし、装置の電源をオフする電源ボタン開放割り込みを待つ部分は、１０２０のステータスDI回路を用いて、SWON_L信号の状態を読み込み、この信号がネゲートされる（ボタンが開放される）まで待ってもよい。
このような、電源オフの処理により、誤った操作で、電源がオフしてしまうことを避けることが可能になる。つまりｎ秒以内にボタンが開放された場合には、そのボタンの押下が間違いでたった、すなわち誤操作であったと判断して、電源オフ処理への移行を取りやめる。
【００８５】
ここで、このメイン・プロセッサによる処理を追加することにより、図５の場合でも、電源ボタンの誤操作による、電源の誤投入と、誤った電源断を防ぐことが可能になる。更に図７と組み合わせると、短時間（ＣＲ回路による時定数時間以下）のボタンの誤操作は、ハードウェア的に除去し、それ以上長時間の誤操作についてはソフトウェア的に除去できるために、より安定度が高まる、先提案の２例の回路構成に、今回の提案による、主回路内の機構と、メイン・プロセッサによる判断処理を加えることによって、誤操作と認識する電源ボタンの押下時間を大きく採ることができる。これにより、電源オン／オフ処理についてより安全な仕様を提供することができる。
また、図５または図７による電源オン／オフ制御の場合、電源をオフするアクションとして電源ボタンを押下した後、そのままこれを押し続けていると、これが押されている間にメインプロセッサが電源オフの処理をすることによって、一旦は物理的に電源がオフされるが、その後も電源ボタンが押されたままになっていると、ハードウェア的に、再度１３００回路のフリップフロップ回路が反転して電源投入の処理が行われてしまう。つまり、電源断時に電源ボタンを押し続けていると、一旦電源が切れてから、また再投入されてしまうことになる。しかし、本実施の形態による処理を加えると、最終的な電源のオフのＳ／Ｗ的な処理は電源ボタンが開放された後に実行するため、上記のような問題の解決を図ることもできる。
【００８６】
【実施の形態５】
実施の形態４の場合のように、持ち運び時などに意図しないで押されてしまう電源ボタンの誤操作による電源誤投入は防ぐことはできるが、ハードウェア回路で時定数を決めて誤投入を防止できる時間には物理的に限界がある（ＣＲの時定数を大きくすればよいが、コンデンサ容量が大きくなり、部品サイズが大きくなったり、電力の消費が増えるなどの傾向が出てくる。また、ＣＲによる時定数を大きくすると、ＩＣの入力波形が鈍りすぎてノイズに弱くなるなどの弊害も出てくる）。持ち運び時などの接触による誤作動を防ぐためには、このハードウェアによるノイズ除去の時定数だけでは満足できない場合が出てくる。
例えば、ハードウェア時定数によるノイズ除去の範囲は０．５秒程度までが妥当と考えられ、この乗数を持つ回路とすると、０．５秒以下のボタン操作については、誤動作を起こさないようにすることができる。これにより瞬時の機械的接触による誤作動は防ぐことが可能となる。しかし、本機をかばんのようなものに入れて持ち運ぶような場合、この時間を超えるような操作が与えられると電源は誤作動してしまう。
そこで、この実施の形態では、単に電源ボタンの押下時間を延ばすだけでなく、電源ボタンの押下状態のパターンを抽出して、その操作が操作者の明らかな意思によるものかどうかを判断して、明らかな意思を持っている場合と判断される場合についてのみ、その操作が有効となるようにしたものである。
【００８７】
すなわち、この実施形態５では、電源ボタンの操作について、操作者の明らかな意思の表示方法として、一定時間内に行われる連続した２回のボタンクリック操作（ダブル・クリック操作）とする。つまり、電源ボタンを連続して２回クリックした場合のみ、その操作を有効にしようとするものである。
その押下時間の長短に関わらず、１回の押下操作だけでは電源の操作は行われず、２回めの操作が連続して行われない場合については、１回目の操作もキャンセルされるようにする。
これによって、不用意な電源ボタンの操作による電源の誤投入、誤切断などを防ぐようにしたものである。
【００８８】
図１２にその回路例を示す。
図１２において、１０００は、本装置のメイン回路であって主たる制御をするプロセッサなどを具備した回路である。１００１は、電池から与えられる１次ＤＣ電源「DCIN」をメイン回路の要求する２次直流電源の電圧「Vcc」に変換するためのＤＣ／ＤＣコンバータ回路であって、この回路の入り／切りを「SHUT」信号を持って行うことができる。１００２は、電源監視回路であって主電源Vccを監視し、予め定められた電位以下になるとメイン回路に対して「DCLOW」信号を与える。メイン回路はこれを初期化のためのリセット信号として使用する。
更に、同図において、１１００は装置全体の電源となる電池部分である。また、１１０１は、電源ボタンであって、タクトスイッチ（２極）である。また、同図において、１３００は、電源電圧が高い、ＣＭＯＳの標準論理ＩＣであって、ＮＡＮＤ回路２個だけでフリップ・フロップ回路を構成している。１３０１〜１３０６は抵抗素子（R１〜R6）、１４０１〜１４０３はコンデンサ（C1〜C3）、１５０１，１５０２はトランジスタまたはＦＥＴ（TR1,TR2）である。
更に、１６０１と１６０２は電源電圧が高い、ＣＭＯＳの標準論理ＩＣであって、リトリガラブルなシングル・ショット・バイブレータ（モノマルチ・バイブレータ：以下モノマルチと記載）である。外付けのC,Rの時定数によって、その生成パルス幅を可変できる。１６０１のモノマルチの時定数は、C2とR5で決まるが、ここではこれを「t1」とする。また、１６０２のモノマルチの時定数は、ｃ３とR6できまるが、ここではこれを「t2」とする。
また、１６０３と１６０４も電源電圧が高い、ＣＭＯＳの標準論理ＩＣであって、インバーテッドＮＡＮＤ回路（ＯＲ回路と等価）である。
なお、図中、A〜D，S，F1,F2,G1,DCIN，Vcc，T01，T02は、説明をし易くするために回路中の各信号に付けた信号名称である。
【００８９】
図１３がこの回路例の動作を説明するためのタイムチャート図である。これを用いて、図１２の回路例の動作を説明する。図１３中のＴ１〜Ｔ１１に従って述べる。始めは、１１００の電池が実装されていないものとする。
【００９０】
Ｔ１，時点Ｔ１で、まず装置に１１００の電池を実装する。DCIN信号が電池の電圧に立ち上がり、１３００のＮＡＮＤのＩＣにも電源が供給される。電池の電圧は、１００１のＤＣ／ＤＣコンバータによってメイン回路の電源が生成できる1次電圧であって、１３００のＣＭＯＳ論理回路の動作できる電圧であればよい。この時、R1を介して接続されているA信号は、ほぼDCIN信号と同時にHレベルに立ち上がるが、R2とC1によるCR積分回路が入ったB信号は、R2・C1による時定数による遅れ時間を持ってHレベルに立ち上がる。
A信号とB信号のHレベルへの立ち上がりの時間差により、１３００のNANDゲートによるフリップフロップ回路は、必ず固定されたレベルに落ち着く。つまりA=H，B=Lの条件から、D=H、C=Lとなり、その後、B信号がHレベルになっても、（A,B,C,D）=（H,H,L,H）状態で安定である。この状態で、D信号即ち１００１のＤＣ／ＤＣコンバータ回路に与えられるSHUT信号はHレベルに固定されているため、１００１のＤＣ／ＤＣコンバータはオンすることはない。R2の抵抗とC1による積分回路は、B信号の立ち上がりをA信号の立ち上がりより遅らせることによって、１３００のフリップフロップ回路のD信号出力を必ずHレベルに安定させるためにある。これにより、電池の実装時に誤ってメイン回路がオン状態になることはない。
【００９１】
Ｔ２，D信号がHレベルに安定し、１００１回路のSHUT信号がアクティブで、ＤＣ／ＤＣコンバータがオフの状態において、１１０１の電源ボタンが押下されると、S信号がグランドに接続され、Lレベルに移行する。S信号の立ち下がりでは変化がないが、ボタンが開放されてこのS信号が立ち上がるときに、１６０１のモノマルチがトリガされ、F1の出力信号（負論理でLレベルで意味あり）がLレベルに変化する。この時１６０１はC2とR5による時定数「t1」でタイムアウト（パルスを終わらせる）しようとする（Ｔ２’の部分）。
【００９２】
Ｔ３，ここで、このタイムアウト時間「t1」の経過より早く次のボタン押下があったとする。すると１６０１のモノマルチは、リトリガを受けて更に、「t1」時間出力パルス（F1信号）を延長しようとする。このリトリガによってタイムアウトしようとするタイミングがＴ３’部分である。このＴ３で生成されるS信号のパルスと、１６０１のモノマルチの出力F1信号が１６０３回路によってインバーテッドＮＡＮＤを取られる。つまりS信号とF1信号が共にLレベルの間だけ、１６０３回路の出力がLレベルとなる。これをG1信号とする。G1信号は、Ｔ２のボタン操作ではアサートされないが、Ｔ３の操作でアサートされる。このG1信号のパルスの立ち上がりによって、次の１６０２のモノマルチがトリガを受け、１６０２のモノマルチの出力F2信号（これは正論理でHレベルで意味あり）がHレベルに変化する。この信号は、１６０２回路の時定数「t2」でタイムアウトしようとする（Ｔ３”部）。ここでG1信号のパルスと、F2信号が、１６０４回路でインバーテッドＮＡＮＤを取られる。つまり、G1信号とF2信号が共にLレベルの時だけ、１６０４回路の出力であるA信号がLアサートされる（Lレベルになる）。これにより、このＴ３の時点のボタン操作で、A信号にパルスが生成される。A信号のレベルがLとなることによって、１３００のフリップフロップ回路の状態は、（A,B,C,D）=（L,H,H,L）に変化して安定する。ここで、D信号即ち１００１のＤＣ／ＤＣコンバータ回路に与えられるSHUT信号はLレベルに変化し、１００１のＤＣ／ＤＣコンバータがオンし、メイン回路に電源Vccが供給される。
【００９３】
Ｔ４，F1信号が、１６０１回路の時定数「t1」時間を経過せず、まだタイムアップしていない状態で、次のボタン操作が行われた場合、F1信号は、Lレベルにあるので、１６０３の出力G1信号もアサートされる（パルスを生成する）。しかし、この段階では、次の１６０２回路のモノマルチもまだ「t2」時間のタイムアップをしていないため、そのG1信号上のパルスは、１６０４回路でネゲートされ、A信号上に現れることはない。１６０１のモノマルチは、Ｔ４の操作によるS信号のパルスでリトリガを受け、更に「t1」時間延長されて、Ｔ４’部でタイムアウトする。また、１６０２のモノマルチは、Ｔ４の操作によるG1信号のおパルスでリトリガを受け、更に「t2」時間延長されてＴ４”部でタイムアウトする。
【００９４】
Ｔ５，Ｔ４’でF1信号がタイムアウトしてもとのHレベルに戻った後に、電源ボタンがクリックされてS信号にパルスが発生すると、Ｔ２の場合と同じように、S信号の立ち下がりでは変化がないが、ボタンが開放されてこのS信号が立ち上がるときに、１６０１のモノマルチがトリガされ、F1の出力信号（負論理でLレベルで意味あり）がLレベルに変化する。この時１６０１はC2とR5による時定数「t1」でタイムアウトしようとする（Ｔ５’部分）。ここで、このタイムアウト時間「t1」の経過より早く次のボタン押下があったとすると、１６０１のモノマルチは、リトリガを受けて更に、「t1」時間出力パルス（F1信号）を延長しようとする。このリトリガによってタイムアウトしようとするタイミングがＴ６’部分である。このＴ６で生成されるS信号のパルスと、１６０１のモノマルチの出力F1信号が１６０３回路によってインバーテッドＮＡＮＤを取られ、G1信号にパルスが生成される。G1信号は、Ｔ５のボタン操作ではアサートされないが、Ｔ６の操作でアサートされる。このG1信号のパルスの立ち上がりによって、次の１６０２のモノマルチがトリガを受け、１６０２のモノマルチの出力F2信号がHレベルに変化する。この信号は、１６０２回路の時定数「t2」でタイムアウトしようとする（Ｔ６”部）。ここでG1信号のパルスと、F2信号が、１６０４回路でインバーテッドＮＡＮＤを取られ、G1信号とF2信号が共にLレベルの時だけ、１６０４回路の出力であるA信号がLアサートされる。これにより、このＴ６時点のボタン操作で、A信号にパルスが生成される。このA信号はLレベルとなるが、１３００のフリップフロップ回路の状態は、既に（A,B,C,D）=（H,H,H,L）で安定しており、A信号がLに変化してもその他の信号は変化しない（電源はオンのまま）。
【００９５】
Ｔ７，ここで、A信号のLレベルのパルス変化は、１５０２のトランジスタ（TR2)を介して、１０００の主回路に通知され、主回路内のメインプロセッサに対して割り込み通知される。
【００９６】
Ｔ８，メインプロセッサは、この割り込みによって、装置のシャットダウン処理に移行し、最終的には、POFF_H信号をHレベルにアサートする。
【００９７】
Ｔ９，POFF_H信号のアサートにより、１５０１のトランジスタ（TR1)がオンし、B信号のレベルがLレベルに移行すると、１３００のフリップフロップが反転してD信号はHレベルとなる。これにより１３００のフリップフロップ回路の状態は、（A,B,C,D）=（H,L,L,H）となる。この時点でのA信号は、電源ボタン開放時にHレベルに戻っている。
【００９８】
Ｔ１０，D信号（SHUT信号）のHレベルへの変化により、１００１のＤＣ／ＤＣコンバータがオフし、メイン回路の電源Vcc供給が断たれる。Vcc電源がオフすることにより、POFF信号はネゲートされ、T01は、Hレベルに移行、B信号もHレベルに変化する。状態は、（A,B,C,D）=（H,H,L,H）で安定し、初期状態に戻る。
【００９９】
このような手順により、図１２による回路構成例によって、メイン回路の電源の入り／切りを実現できる。
以上のように、この実施形態では、電源ボタンの操作によって発生するS信号上のパルスが、一定時間「t1」以内に２回発生した場合に、A信号へのパルスが１回だけ生成されるようにしたものである。つまり、規定時間以内に行われるダブルクリックで電源ボタン操作が有効になっている。
図１３の例では、Ｔ２とＴ３の連続操作で、A信号に１回パルスを発生して電源オン動作が行われ、更に連続したＴ４のパルスは無視され、Ｔ５とＴ６の連続操作でまたA信号に１回パルスが生成されて、これが割り込みを起こすことによって、電源オフの動作が行われている。Ｔ１０とＴ１１の操作は、単一の操作が一定時間「t1」時間以上経過してから行われているため、誤操作として扱われ無視されている。
このような手法により、電源ボタンの押下状態のパターンを抽出して、その操作が操作者の明らかな意思によるものかどうかを判断して、明らかな意思を持っている場合と判断される場合についてのみ、この操作が有効になるようにする手段が実現できる。
【０１００】
【実施の形態６】
図１４に、この実施の形態６による２ボタン同時操作による電源オン／オフ操作のための回路例を示し、図５と同一部分若しくは相当する部分に同一符号を付してその説明を省略する。
すなわち、本回路例は、図５の回路にSW2のスイッチ、TR3のトランジスタ、R5,R6の抵抗と、１６０１のインバーテッドＮＡＮＤ回路を追加したものである。  １５０３のトランジスタとその出力T3信号は、判断のために追加された操作ボタン１１０２のSW2が本来、別の意味に用いられているためで、通常の処理については、このT3信号を１０００の主回路によって読み込まれて利用される。但し、電源操作時のSW2の操作は、通常操作に優先するものと考える。この例の特徴は、１３００のフリップフロップ回路の入力条件であり、かつ１０００の主回路に割り込みを発生させるためのA信号にLレベルのパルスを生成する条件として、SW1とSW2が同時に押された場合という条件を加えたものである。図５では、電源ボタンSW1が押されるだけで、この条件が生成されていた。
A信号が生成されてからの電源オン／オフの制御の方法は、図５と同じである。この方式によると、電源のオン／オフ操作を行うためには、必ず定められた２つのボタンを同時に操作しなければならず、どちらか一方のボタン操作だけでは電源操作を行うことができない。
このような手法により、電源ボタンの押下状態のパターンを抽出して、その操作が操作者の明らかな意思によるものかどうかを判断して、明らかな意思を持っている場合と判断される場合についてのみ、この操作が有効になるようにする手段を実現できる。
【０１０１】
【発明の効果】
以上のとおり、本発明によれば、端末装置から管理局への静止画、動画、音声の情報伝達のために、電源スイッチの他に、シャッタースイッチと通話スイッチの３スイッチのみで要求する機能の実現が可能となるので、スイッチおよびＬＥＤの数が削減できるため、形状を小形にでき、操作部分を減らすことによって操作の簡便性が向上する。また、部品点数が減少することによって、故障率の減少にも寄与できるものである。また、本発明によれば、意図しない電源スイッチの操作に伴う誤操作を回避するこができ、電源のオン／オフ処理がより安全となるなどの効果を有するものである。
【図面の簡単な説明】
【図１】本発明の第１の実施形態を示す携帯型情報伝送端末装置の処理フロー図。
【図２】本発明の操作パネルの構成図。
【図３】本発明の操作パネルの回路構成図。
【図４】本発明の主電源の制御回路の構成図。
【図５】本発明の第２の実施形態を示す主電源の制御回路構成図。
【図６】図５の動作説明用タイムチャート。
【図７】本発明の第３の実施形態を示す主電源の制御回路構成図。
【図８】図７の動作説明用タイムチャート。
【図９】本発明の第４の実施形態を示す主電源の制御回路構成図。
【図１０】本発明における電源立上時のメインプロセッサの処理フロー。
【図１１】本発明における電源断時のメインプロセッサの処理フロー。
【図１２】本発明の第５の実施形態を示す主電源の制御回路構成図。
【図１３】図１２の動作説明用タイムチャート。
【図１４】本発明の第６の実施形態を示す主電源の制御回路構成図。
【図１５】遠隔情報伝送システムの使用形態図。
【図１６】携帯型情報伝送端末装置の外観図。
【図１７】携帯型情報伝送端末装置の外部インターフェースのパネル構成図。
【図１８】従来の携帯型情報伝送端末装置の処理フロー。
【図１９】従来の携帯型情報伝送端末装置の操作パネル構成図。
【図２０】従来の操作パネルの回路構成図。
【符号の説明】
１００ａ…操作パネル
１０１…電源スイッチ（電源ボタン）
１０３…シャッタースイッチ（シャッターボタン）
１０４…通話スイッチ（通話ボタン）
１０００…メイン処理部
１００１…ＤＣ／ＤＣコンバータ
１００２…電源監視部
１１０１…電源スイッチ
１３００…フリップフロップ
１３０５…第２の積分回路
【図１】
0004273631.tif 000002
【図２】
0004273631.tif 000003
【図３】
0004273631.tif 000004
【図４】
0004273631.tif 000005
【図５】
0004273631.tif 000006
【図６】
0004273631.tif 000007
【図７】
0004273631.tif 000008
【図８】
0004273631.tif 000009
【図９】
0004273631.tif 000010
【図１０】
0004273631.tif 000011
【図１１】
0004273631.tif 000012
【図１２】
0004273631.tif 000013
【図１３】
0004273631.tif 000014
【図１４】
0004273631.tif 000015
【図１５】
0004273631.tif 000016
【図１６】
0004273631.tif 000017
【図１７】
0004273631.tif 000018
【図１８】
0004273631.tif 000019
【図１９】
0004273631.tif 000020
【図２０】
0004273631.tif 000021